(57)【要約】  電気機器（３）を収容する電気機器用ケース（２）であって、ケース本体（１０）と、平板状カバー部（２１）と第１の湾曲カバー部（２４）と第２の湾曲カバー部（２５）とを備え、ケース本体（１０）に取り付けられて開口（１０ｂ）を覆うカバー体（２０）と、ケース本体（１０）と平板状カバー部（２１）との間に設けられ、ケース本体（１０）と平板状カバー部（２１）との間を封止する第１のシール部材（５）及び第２のシール部材（６）と、第１の湾曲カバー部（２４）及び第２の湾曲カバー部（２５）の内側に平板状カバー部（２１）の一辺（２１ａ、２１ｂ）に沿う方向に延びて設けられ、第１の湾曲カバー部（２４）及び第２の湾曲カバー部（２５）とケース本体（１０）との間において外部に連通する連通部（６０）と、を有することを特徴とする電気機器用ケース（２）、及び、電気機器用ケース（２）と電気機器用ケース（２）に収容された電気機器（３）とを備えることを特徴とする電力制御装置（１）。
2020090337.tif 000002
【特許請求の範囲】
【請求項１】
電気機器を収容する電気機器用ケースであって、
開口を有するケース本体と、
矩形の平板状カバー部と前記平板状カバー部の一辺に連なる湾曲カバー部とを備え、前記ケース本体に取り付けられて前記開口を覆うカバー体と、
前記ケース本体と前記平板状カバー部との間に設けられ、前記ケース本体と前記平板状カバー部との間を封止するシール部材と、
前記湾曲カバー部の内側に前記平板状カバー部の前記一辺に沿う方向に延びて設けられ、前記湾曲カバー部と前記ケース本体との間において外部に連通する連通部と、を有することを特徴とする電気機器用ケース。
【請求項２】
前記ケース本体が、
矩形の第１壁と、
前記第１壁の第１の辺に連なる第２壁と、
前記第２壁に対向するとともに前記第１壁の第２の辺に連なる第３壁と、
前記第１壁の第３の辺、前記第２壁及び前記第３壁に連なる第４壁と、
前記第４壁に対向するとともに前記第１壁の第４の辺、前記第２壁及び前記第３壁に連なる第５壁と、を有する箱型であり、
前記シール部材が、前記第４壁の前記第１壁とは反対側を向く端面と、前記平板状カバー部との間に前記一辺に平行に延びて設けられ、
前記湾曲カバー部が、前記平板状カバー部の前記一辺から前記第１壁の側に向けて曲がっている、請求項１に記載の電気機器用ケース。
【請求項３】
前記カバー体が、
前記平板状カバー部と、
前記第２壁を覆う第１側面カバー部と、
前記第３壁を覆う第２側面カバー部と、
前記平板状カバー部と前記第１側面カバー部とに連なる第１の前記湾曲カバー部と、
前記平板状カバー部と前記第２側面カバー部とに連なる第２の前記湾曲カバー部と、を有する断面Ｕ字形状である、請求項２に記載の電気機器用ケース。
【請求項４】
前記第４壁に、前記第４壁の前記第１壁とは反対側を向く端面に沿うとともに前記第５壁から離れる方向に突出する水返し部が設けられている、請求項２または３に記載の電気機器用ケース。
【請求項５】
前記第４壁の前記ケース本体の外側を向く面が、前記平板状カバー部の側から前記第１壁の側に向けて徐々に前記第５壁に接近するように傾斜している、請求項２〜４の何れか１項に記載の電気機器用ケース。
【請求項６】
前記連通部を前記ケース本体の内部に対して隔離する隔壁を有する、請求項１〜５の何れか１項に記載の電気機器用ケース。
【請求項７】
前記隔壁が、前記ケース本体及び前記カバー体とは別体に形成され、前記ケース本体に取り付けられている、請求項６に記載の電気機器用ケース。
【請求項８】
前記隔壁と前記平板状カバー部との間に設けられ、前記隔壁と前記平板状カバー部との間を封止する隔壁用シール部材を有する、請求項６または７に記載の電気機器用ケース。
【請求項９】
前記連通部が上下方向に延びる排水路である、請求項１〜８の何れか１項に記載の電気機器用ケース。
【請求項１０】
請求項１〜９の何れか１項に記載の電気機器用ケースと、前記電気機器用ケースに収容された電気機器とを備えることを特徴とする電力制御装置。
【発明の詳細な説明】
【関連出願の相互参照】
【０００１】
本出願は、２０１８年１０月２９日に出願された日本国特許出願２０１８−２０３２５７号の優先権を主張するものであり、この先の出願の開示全体をここに参照のために取り込む。
【技術分野】
【０００２】
本開示は、電気機器用ケース及び電力制御装置に関する。
【背景技術】
【０００３】
太陽電池に接続されて太陽電池からの直流電力を交流電力に変換する機能を備えた電気機器をケースに収容したパワーコンディショナ（電力変換装置）等の電力制御装置が、家庭用を中心に普及してきている。このような電力制御装置は屋外に設置されることが多いことから、電気機器を収容するケースには高い防水性が求められている。【０００４】
例えば特許文献１には、開口を有する本体ケースと、本体ケースの開口を覆う前面カバーとを備えたケースにおいて、前面カバーを、本体ケースの開口を覆う前面カバー正面に加えて本体ケースの天面を覆う前面カバー天面が一体に設けられた構成とすることで、ケースの上側を前面カバー天面と本体ケースの天面とが重なる二重構造として防水性を高めた構成が開示されている。
【先行技術文献】
【特許文献】
【０００５】
【特許文献１】特開２０１８−６０８２８号公報
【発明の概要】
【０００６】
本開示の実施形態に係る電気機器用ケースは、電気機器を収容する電気機器用ケースであって、開口を有するケース本体と、矩形の平板状カバー部と前記平板状カバー部の一辺に連なる湾曲カバー部とを備え、前記ケース本体に取り付けられて前記開口を覆うカバー体と、前記ケース本体と前記平板状カバー部との間に設けられ、前記ケース本体と前記平板状カバー部との間を封止するシール部材と、前記湾曲カバー部の内側に前記平板状カバー部の前記一辺に沿う方向に延びて設けられ、前記湾曲カバー部と前記ケース本体との間において外部に連通する連通部と、を有することを特徴とする。
【０００７】
また、本開示の実施形態に係る電力制御装置は、本開示に係る何れかの電気機器用ケースと、前記電気機器用ケースに収容された電気機器とを備ることを特徴とする。
【図面の簡単な説明】
【０００８】
【図１】本開示の一実施の形態に係る電力制御装置の斜視図である。
【図２】図１に示す電力制御装置の分解斜視図である。
【図３】図２に示すケース本体の斜視図である。
【図４】図１に示す電力制御装置の、第４壁側の部分及び第５壁側の部分における縦断面図である。
【図５】図２に示すカバー体の斜視図である。
【図６】図１に示す電力制御装置の、カバー体及び電気機器が取り外された状態の斜視図である。
【図７】図６に示す隔壁の斜視図である。
【図８】湾曲カバー部の内側に設けられた連通部を示す断面図である。
【図９】連通部のケース本体の第４壁の側での外部との連通構造を示す平面図である。
【図１０】連通部のケース本体の第５壁の側での外部との連通構造を示す底面図である。
【発明を実施するための形態】
【０００９】
従来の電力制御装置のケースには、上記した防水などの機能性だけでなく、より高いデザイン性（意匠性）も求められている。
【００１０】
本開示の目的は、機能性を確保しつつデザイン性を高めた電気機器用ケース及び電力制御装置を提供することにある。
【００１１】
本開示の実施形態によれば、機能性を確保しつつデザイン性を高めた電気機器用ケース及び電力制御装置を提供することができる。
【００１２】
以下、図面を参照しつつ、本開示の一実施の形態を詳細に例示説明する。
【００１３】
図１に示すように、本実施の形態に係る電力制御装置１は、電気機器用ケース２と電気機器用ケース２に収容された電気機器３とを備えている。
【００１４】
図１において模式的に示す電気機器３は、例えば住宅の屋根等に設置された太陽電池に接続されて、太陽電池が発電した直流電力を交流電力に変換して住宅の電気系統に出力する電力変換機能を備えたものである。すなわち、電力制御装置１は、家庭用のパワーコンディショナ（電力変換装置）として構成されている。
【００１５】
電力制御装置１は、電気機器用ケース２に、例えば上記した電力変換機能を備えた電気機器３に加えて、燃料電池、蓄電池、換気用ファンなどの、機能ないし構成の異なる複数種類の電気機器を収容した構成とすることもできる。上記した蓄電池としては、例えばリチウムイオン電池またはニッケル水素電池を用いることができる。また、電気機器用ケース２には、電気機器３に加えて、例えば断熱材、緩衝材等の部材を収容することもできる。さらに、電気機器用ケース２に収容される電気機器３は、上記した太陽電池用の電力変換機能を備えたものに限らず、例えば、燃料電池、変電装置、電力を商用電力系統へ供給する機能を備えたものなどの、他の機能ないし構成を有する電気機器であってもよい。
【００１６】
電力制御装置１は屋外に設置することができる。本実施の形態では、電力制御装置１は、例えば住宅の外壁に、取付け金具、架台等を用いて設置される。
【００１７】
電力制御装置１は、屋外に限らず、屋内などの他の場所に設置されるものとすることもできる。
【００１８】
電気機器用ケース２は、図２に示すように、ケース本体１０、カバー体２０、第１の隔壁３０、第２の隔壁３１、上カバー４０及び下カバー５０を有している。
【００１９】
図３に示すように、ケース本体１０は、第１壁１１、第２壁１２、第３壁１３、第４壁１４及び第５壁１５を有する箱型となっている。本実施の形態では、ケース本体１０は、アルミニウム合金の鋳造品となっており、第１壁１１、第２壁１２、第３壁１３、第４壁１４及び第５壁１５は一体に連ねて設けられている。このような構成により、上記形状を有するケース本体１０を、容易かつ生産性よく製造することができる。
【００２０】
ケース本体１０は、上記したアルミニウム合金の鋳造品に限らず、鋳鉄等の他の金属の鋳造品としてもよい。また、ケース本体１０は、金属の鋳造品に限らず、例えば合成樹脂材料の射出成形品とするなど、他の材質で形成されたものとすることもできる。さらに、ケース本体１０は、互いに別体に形成された第１壁１１、第２壁１２、第３壁１３、第４壁１４及び第５壁１５を、溶接、接着、締結等の手段によって互いに一体的に連結した構成とすることもできる。
【００２１】
第１壁１１は、互いに平行な第１の辺１１ａ及び第２の辺１１ｂを有している。また、第１壁１１は、それぞれ第１の辺１１ａ及び第２の辺１１ｂに直交するとともに互いに平行な第３の辺１１ｃ及び第４の辺１１ｄを有している。このように、第１壁１１は、４つの辺１１ａ〜１１ｄを有する外形が矩形の板状となっている。本実施の形態では、第１壁１１は、ケース本体１０の背面を構成している。
【００２２】
第２壁１２は、細長い矩形の板状となっており、第１の辺１１ａにおいて第１壁１１に直角に連なっている。第３壁１３は、第２壁１２と同様の細長い矩形の板状となっており、第２壁１２に対向するように、第２の辺１１ｂにおいて第１壁１１に直角に連なっている。本実施の形態では、第２壁１２及び第３壁１３は、互いに平行に対向し、それぞれケース本体１０の側方を向く側面を構成している。
【００２３】
第４壁１４は、細長い板状となっており、第１壁１１の第３の辺１１ｃに直角に連なるとともに第２壁１２の及び第３壁１３の図３中上方側となる上辺に直角に連なっている。第４壁１４は、第２壁１２及び第３壁１３に対して第１壁１１から離れる方向に突出する台形状の突出部分を有する形状となっており、当該突出部分の第１壁１１の面に平行な面が第４壁１４の第１壁１１とは反対側を向く端面１４ａとなっている。本実施の形態では、第４壁１４は、ケース本体１０の上方を向く天面を構成している。
【００２４】
第５壁１５は、第４壁１４と同様の台形状の突出部分を有する細長い板状となっており、第４壁１４に対向するように第１壁１１の第４の辺１１ｄに直角に連なるとともに第２壁１２及び第３壁１３の図３中下方側となる下辺に直角に連なっている。第５壁１５の突出部分の第１壁１１の面に平行な面が第５壁１５の第１壁１１とは反対側を向く端面１５ａとなっている。本実施の形態では、第５壁１５は、ケース本体１０の下方を向く底面を構成している。
【００２５】
図４に示すように、ケース本体１０の内部は収容空間１０ａとなっており、電気機器３は収容空間１０ａに配置される。ケース本体１０の第１壁１１と対向する側は開口１０ｂとなっており、カバー体２０をケース本体１０から取り外して開口１０ｂを外部に連通させることで、開口１０ｂを通して収容空間１０ａに電気機器３を配置することができる。
【００２６】
図５に示すように、カバー体２０は、平板状カバー部２１と、第２壁１２を覆う第１側面カバー部２２と、第３壁１３を覆う第２側面カバー部２３と、平板状カバー部２１と第１側面カバー部２２とに連なる第１の湾曲カバー部２４と、平板状カバー部２１と第２側面カバー部２３とに連なる第２の湾曲カバー部２５と、を有する断面Ｕ字形状となっている。
【００２７】
カバー体２０は、例えば、鉄鋼、アルミニウム合金、ステンレス鋼等の金属製の１枚の板材を板金加工して形成されている。この構成により、単純な曲げ加工により形成できることから上記形状を有するカバー体２０を容易かつ低コストで形成することができる。カバー体２０の板厚は任意に設定することができ、例えば、０．３ｍｍ〜３．５ｍｍとするのがよい。
【００２８】
カバー体２０は、１枚の板材を板金加工して形成したものに限らず、互いに別体に形成された平板状カバー部２１、第１側面カバー部２２、第２側面カバー部２３、第１の湾曲カバー部２４及び第２の湾曲カバー部２５を、溶接、接着、締結等の手段によって互いに一体的に連結した構成とすることもできる。また、カバー体２０は、金属製に限らず、例えば合成樹脂材料の射出成形品とするなど、他の材質で形成されたものとすることもできる。
【００２９】
平板状カバー部２１は、ケース本体１０の第１壁１１の第１の辺に平行な第１の辺２１ａ及び第２の辺２１ｂを有している。また、平板状カバー部２１は、第１壁１１の第３の辺１１ｃに平行な第３の辺２１ｃ及び第４の辺２１ｄを有している。このように、平板状カバー部２１は、４つの辺２１ａ〜２１ｄを有する外形が矩形の板状となっている。本実施の形態では、平板状カバー部２１は、ケース本体１０の前面の開口１０ｂを覆う前面カバー部を構成している。
【００３０】
第１の湾曲カバー部２４は、平板状カバー部２１の第１の辺２１ａに一体に連なっている。第１の湾曲カバー部２４は、第１の辺２１ａに平行な軸を中心軸とし、中心角が９０度の円弧状となるように、第１の辺２１ａから第１壁１１の側に向けて曲がっている。
【００３１】
第２の湾曲カバー部２５は、平板状カバー部２１の第２の辺２１ｂに一体に連なっている。第２の湾曲カバー部２５は、第２の辺２１ｂに平行な軸を中心軸とし、中心角が９０度の円弧状となるように、第２の辺２１ｂから第１壁１１の側に向けて曲がっている。
【００３２】
第１側面カバー部２２は、第２壁１２に平行な矩形の板状となっており、第１の湾曲カバー部２４に一体に連なっている。同様に、第２側面カバー部２３は、第３壁１３に平行な矩形の板状となっており、第２の湾曲カバー部２５に一体に連なっている。
【００３３】
第１側面カバー部２２及び第２側面カバー部２３には、それぞれ２つの取付け孔２６（第１側面カバー部２２の取付け孔２６は１つのみが示されている）が設けられている。一方、図３に示すように、ケース本体１０の第２壁１２及び第３壁１３には、それぞれ第１壁１１の側方であって、第４壁１４の側と第５壁１５の側とに分けて２つのネジ穴１８が設けられている。図１に示すように、カバー体２０は、カバー体２０の取付け孔２６に挿通したネジ部材４をケース本体１０の対応するネジ穴１８にネジ結合させることによりケース本体１０に取り付けられている。ケース本体１０に取り付けられたカバー体２０は、ケース本体１０の開口１０ｂを覆う。
【００３４】
上記の通り、カバー体２０を、第１の湾曲カバー部２４及び第２の湾曲カバー部２５を有する構成としたことにより、カバー体２０の外観を角部が丸みを帯びた見映えの良いものとすることができる。これにより、上記形状のカバー体２０を備えた電気機器用ケース２及び電力制御装置１を、カバー体２０に第１の湾曲カバー部２４及び第２の湾曲カバー部２５が設けられない場合に比べて、よりデザイン性（意匠性）の高いものとすることができる。
【００３５】
円弧状に湾曲する第１の湾曲カバー部２４及び第２の湾曲カバー部２５は、例えば、その半径を１０ｍｍ以上とするとよい。このような構成とすることにより、第１の湾曲カバー部２４及び第２の湾曲カバー部２５が設けられることによる角部が丸みを帯びた形状を、視認者に十分に印象付けることができる。したがって、カバー体２０及び当該カバー体２０を用いた電力制御装置１を、よりデザイン性（意匠性）の高いものとすることができる。
【００３６】
円弧状に湾曲する第１の湾曲カバー部２４及び第２の湾曲カバー部２５は、例えば、その半径を２０〜８０ｍｍの範囲とするとよい。このような構成とすることにより、第１の湾曲カバー部２４及び第２の湾曲カバー部２５が設けられることによる角部が丸みを帯びた形状を、視認者に適度に印象付けることができる。したがって、カバー体２０及びカバー体２０を用いた電力制御装置１を、さらにデザイン性（意匠性）の高いものとすることができる。
【００３７】
本実施の形態では、カバー体２０を、平板状カバー部２１と、第１側面カバー部２２と、第２側面カバー部２３と、第１の湾曲カバー部２４と、第２の湾曲カバー部２５と、を有する断面Ｕ字形状としたので、カバー体２０の外観を、平板状カバー部２１を挟んだ両方の角部が丸みを帯びる、さらに見映えの良いものとすることができる。これにより、上記形状のカバー体２０及び当該カバー体２０を用いた電力制御装置１を、カバー体に湾曲カバー部を設けない場合に比べて、さらにデザイン性（意匠性）の高いものとすることができる。
【００３８】
また、本実施の形態では、第１側面カバー部２２及び第２側面カバー部２３により、ケース本体１０の第２壁１２及び第３壁１３を覆っている。このような構成により、電気機器３が発生する熱により加熱されたケース本体１０の第２壁１２及び第３壁１３が直接手で触れられることを防止することができる。
【００３９】
図３、図４に示すように、ケース本体１０の第４壁１４には水返し部１６が設けられている。水返し部１６は、第４壁１４の第１壁１１とは反対側を向く端面１４ａに沿うとともに、第４壁１４のケース本体１０の外側を向く面１４ｂに対して第５壁１５から離れる方向（図４においては上方）に向けて突出する壁状に形成されている。水返し部１６は第４壁１４に一体に連ねて設けられており、水返し部１６の第１壁１１とは反対側を向く面は第４壁１４の端面１４ａを構成している。
【００４０】
水返し部１６は、第４壁１４の面１４ｂを上方に向けるとともに第１壁１１の延在方向が鉛直方向に平行となる姿勢で電力制御装置１が設置されたときに、ケース本体１０の上面となる面１４ｂから上方に突出した状態となって、面１４ｂの上に溜まった雨水等の水が端面１４ａの側に向けて流れることを低減することができる。
【００４１】
図４に示すように、第４壁１４のケース本体１０の外側を向く面１４ｂは、カバー体２０の平板状カバー部２１の側（第４壁１４の端面１４ａの側）から第１壁１１の側に向けて徐々に第５壁１５に接近するように傾斜している。これにより、第４壁１４の面１４ｂを上方に向けるとともに第１壁１１の延在方向が鉛直方向に平行となる姿勢で電力制御装置１を設置したときに、ケース本体１０の上面となる面１４ｂに溜まった雨水等の水を当該傾斜により第４壁１４の端面１４ａから離れる方向に流すことができる。
【００４２】
面１４ｂの傾斜角度αは、任意の角度に設定することができる。例えば、面１４ｂの傾斜角度αは、第１壁１１の延在方向に垂直な方向に対して１°〜３５°の角度に設定することができる。当該角度とすることにより、傾斜する面１４ｂによってケース本体１０を大型化させることなく、雨水等の水を効果的に第４壁１４の端面１４ａから離れる方向に流すことができる。
【００４３】
ケース本体１０は、第４壁１４のケース本体１０の外側を向く面１４ｂにヒートシンク１７を一体に備えた構成とすることもできる。本実施の形態では、ヒートシンク１７は、水返し部１６に一体に連なる第１ヒートシンク部１７ａを有している。また、第１壁１１には、面１４ｂから第５壁１５から離れる方向に突出する区画壁部１１ｅが一体に連ねて設けられており、ヒートシンク１７は、第１ヒートシンク部１７ａに対して間隔を空けて配置されるとともに区画壁部１１ｅに一体に連なる第２ヒートシンク部１７ｂを有している。さらに、ヒートシンク１７は、区画壁部１１ｅ及び第１壁１１の外側面に一体に連なる第３ヒートシンク部１７ｃを有している。第１ヒートシンク部１７ａ、第２ヒートシンク部１７ｂ及び第３ヒートシンク部１７ｃは、それぞれ第２壁１２と第３壁１３との間に向けて複数枚が並べて配置された構成となっている。ケース本体１０は、ヒートシンク１７を一体に備えることにより、収容空間１０ａに収容した電気機器３が発生する熱を効率良く外部に排出させることができる。
【００４４】
図３、４に示すように、第２壁１２及び第３壁１３には、それぞれ第５壁１５から離れる方向に面１４ｂから突出する区画壁部１２ａ、１３ａが一体に設けられている。区画壁部１２ａ、１３ａには、それぞれ区画壁部１２ａ、１３ａを貫通する矩形の貫通孔１２ｂ、１３ｂが、その１つの縁部を面１４ｂに連ねて設けられている。これらの貫通孔１２ｂ、１３ｂは、第４壁１４の面１４ｂの第１ヒートシンク部１７ａと第２ヒートシンク部１７ｂとの間の部分を通して面１４ｂの全範囲に連なっている。したがって、電力制御装置１を、ケース本体１０の第４壁１４が上方を向く姿勢で配置することで面１４ｂに雨水等の水が溜まっても、当該水を貫通孔１２ｂ、１３ｂを通して第２壁１２または第３壁１３の外側に排出することができる。
【００４５】
第２壁１２及び第３壁１３の、ケース本体１０の外側を向く外面に、それぞれ第１の辺１１ａないし第２の辺１１ｂに平行な方向（縦方向）に延びる複数本（図示する場合では２本）の縦リブ１３ｃと、それぞれ縦リブ１３ｃに直交する複数本（図示する場合では５本）の横リブ１３ｄとを設けた構成とすることもできる。図３には、第２壁１２の外面に設けられた縦リブと横リブは図示されていないが、第２壁１２の外面にも、第３壁１３の外面に設けられた縦リブ１３ｃと横リブ１３ｄと同様の縦リブと横リブとが設けられている。これにより、第２壁１２及び第３壁１３を、剛性を高めつつ薄型化及び軽量化することができるとともに、収容空間１０ａに収容した電気機器３が発生する熱を第２壁１２及び第３壁１３において効果的に放熱させることができる。
【００４６】
図４に示すように、ケース本体１０とカバー体２０の平板状カバー部２１との間には第１のシール部材５と第２のシール部材６が設けられている。第１のシール部材５及び第２のシール部材６は、それぞれケース本体１０と平板状カバー部２１との間を、雨水等の水が侵入しない程度に封止する防水機能を有している。
【００４７】
第４壁１４の端面１４ａには、第１壁１１の側に向けてＵ字形状に凹むとともに第３の辺１１ｃと平行に真っ直ぐに延びる溝状部分１４ｃが設けられている。本実施の形態では、溝状部分１４ｃは水返し部１６の部分に設けられている。溝状部分１４ｃの第１壁１１とは反対側を向く底面は、第４壁１４の端面１４ａの一部を構成している。
【００４８】
第１のシール部材５は、平板状カバー部２１の第１の辺２１ａと同程度の長さを有する断面矩形の棒状に形成されている。図３に示すように、第１のシール部材５は、溝状部分１４ｃの内部に平板状カバー部２１の第１の辺２１ａと平行に延びた姿勢で配置されている。図４に示すように、カバー体２０がケース本体１０に取り付けられた状態では、第１のシール部材５は、ケース本体１０の第４壁１４の端面１４ａの一部である溝状部分１４ｃの底面とカバー体２０の平板状カバー部２１の第１の辺２１ａの側の部分との間に挟み込まれている。これにより、第１のシール部材５は圧縮方向に所定の割合で弾性変形した状態となって、第４壁１４の端面１４ａと平板状カバー部２１との間を封止する。
【００４９】
第５壁１５の端面１５ａには、第１壁１１の側に向けてＵ字形状に凹むとともに第４の辺１１ｄと平行に真っ直ぐに延びる溝状部分１５ｂが設けられている。溝状部分１５ｂの第１壁１１とは反対側を向く底面は、第５壁１５の端面１５ａの一部を構成している。
【００５０】
第２のシール部材６は、平板状カバー部２１の第２の辺２１ｂと同程度の長さを有する断面矩形の棒状に形成されている。図３に示すように、第２のシール部材６は、溝状部分１５ｂの内部に平板状カバー部２１の第２の辺２１ｂと平行に延びた姿勢で配置されている。図４に示すように、カバー体２０がケース本体１０に取り付けられた状態では、第２のシール部材６は、ケース本体１０の第５壁１５の端面１５ａの一部である溝状部分１５ｂの底面とカバー体２０の平板状カバー部２１の第２の辺２１ｂの側の部分との間に挟み込まれている。これにより、第２のシール部材６は、圧縮方向に所定の割合で弾性変形した状態となって、第５壁１５の端面１５ａと平板状カバー部２１との間を封止する。
【００５１】
このように、ケース本体１０の第５壁１５の端面１５ａとカバー体２０の平板状カバー部２１との間に第２のシール部材６を設けたことにより、ケース本体１０の第５壁１５の端面１５ａとカバー体２０の平板状カバー部２１との間からケース本体１０の内部である収容空間１０ａに雨水等の水が侵入することを防止することができる。
【００５２】
上記した第１のシール部材５及び第２のシール部材６は、例えば合成ゴム、エラストマー等の弾性体により形成されたものとすることができる。また、第１のシール部材５及び第２のシール部材６は、エチレンプロピレンゴムの発泡体であるゴムスポンジにより形成されたものであってもよい。なお、第１のシール部材５及び第２のシール部材６は、上記以外の構成ないし材質のものとすることもできる。
【００５３】
本実施の形態では、第１のシール部材５及び第２のシール部材６を、それぞれ端面１４ａ、１５ａに設けた溝状部分１４ｃ、１５ｂに配置するようにしているが、端面１４ａ、１５ａに溝状部分１４ｃ、１５ｂを設けず、第１のシール部材５及び第２のシール部材６を端面１４ａ、１５ａと平板状カバー部２１との間に配置する構成としてもよい。また、第１のシール部材５及び第２のシール部材６の断面形状は矩形に限らず、例えば円形などの他の形状であってもよい。
【００５４】
図６に示すように、ケース本体１０には第１の隔壁３０と第２の隔壁３１が設けられている。本実施の形態では、第１の隔壁３０と第２の隔壁３１は、それぞれケース本体１０及びカバー体２０とは別体に形成され、ネジ部材７を用いてケース本体１０に取り付けられてケース本体１０に固定されている。
【００５５】
第１の隔壁３０は、ケース本体１０の第２壁１２の第１壁１１とは反対側を向く端面に連ねて配置されている。第１の隔壁３０は、カバー体２０の平板状カバー部２１と第１側面カバー部２２との間に延びる第２壁１２に対して傾斜した壁状に形成されている。
【００５６】
第２の隔壁３１は、ケース本体１０の第３壁１３の第１壁１１とは反対側を向く端面に連ねて配置されている。第２の隔壁３１は、カバー体２０の平板状カバー部２１と第２側面カバー部２３との間に延びる第３壁１３に対して傾斜した壁状に形成されている。
【００５７】
第１の隔壁３０と第２の隔壁３１は、形状及びケース本体１０への取り付け構造が基本的に互いに同一であるので、以下では第２の隔壁３１に基づいて説明をする。
【００５８】
図７に示すように、第２の隔壁３１は、第３壁１３に平行な平らな板状の第１面部３１ａと、第１壁１１に平行な平らな板状の第２面部３１ｂと、第１面部３１ａ及び第２面部３１ｂの両方に対して傾斜した平らな板状に形成されて第１面部３１ａと第２面部３１ｂとの間に一体に連ねて設けられた第３面部３１ｃとを有している。第２面部３１ｂ及び第３面部３１ｃには、それぞれネジ部材７が挿通される２つ（合計４つ）の貫通孔３１ｄが設けられている。
【００５９】
第１の隔壁３０及び第２の隔壁３１は、それぞれ、例えば、鉄鋼、アルミニウム合金、ステンレス鋼等の金属製の１枚の板材を板金加工して形成されている。この構成により、上記形状を有する第１の隔壁３０及び第２の隔壁３１を、容易かつ低コストで形成することができる。第１の隔壁３０及び第２の隔壁３１は、金属製の１枚の板材を板金加工して形成されたものに限らず、例えば合成樹脂材料の射出成形品とするなど、他の材質、製造方法で形成されたものとすることもできる。
【００６０】
第２の隔壁３１の第３面部３１ｃは、第４壁１４と第５壁１５との間隔に対応した長さを有し、長手方向の一端側において第４壁１４の台形状の突出部分の端面１４ａと第３壁１３との間の傾斜面に対向し、他端側において第５壁１５の台形状の突出部分の端面１５ａと第３壁１３との間の傾斜面に対向している。また、第２面部３１ｂは、一端側において第４壁１４の端面１４ａの一部に対向し、他端側において第５壁１５の端面１５ａの一部に対向している。さらに、第１面部３１ａは、第３壁１３の第２壁１２とは反対側を向く面の端部に対向している。このような構成の第１の隔壁３０及び第２の隔壁３１がケース本体１０に取り付けられることにより、ケース本体１０の開口１０ｂは、第４壁１４の端面１４ａ、第５壁１５の端面１５ａ、第１の隔壁３０及び第２の隔壁３１によって区画されている。第１の隔壁３０の第２面３０ｂは、第２壁１２よりも第３壁１３の側にずれて配置され、第２の隔壁３１の第２面３１ｂは、第３壁１３よりも第２壁１２の側にずれて配置されているので、第４壁１４の端面１４ａ、第５壁１５の端面１５ａ、第１の隔壁３０及び第２の隔壁３１によって区画された開口１０ｂの、第２壁１２から第３壁１３に向かう方向の幅は、第２壁１２と第３壁１３の間隔よりも狭くなっている。
【００６１】
本実施の形態では、第１の隔壁３０と第２の隔壁３１を、ケース本体１０及びカバー体２０とは別体に形成されてケース本体１０に取り付けられる構成としている。よって、ケース本体１０の内部の収容空間１０ａに開口１０ｂを通して電気機器３を配置する際に、第１の隔壁３０と第２の隔壁３１をケース本体１０から取り外すことで、開口１０ｂを第２壁１２と第３壁１３との間隔を有する大きさに拡大することができる。これにより、ケース本体１０の収容空間１０ａへ電気機器３を容易に配置することができる。
【００６２】
図３に示すように、第４壁１４には、台形状の突出部分の端面１４ａと傾斜面とに亘って延びる第１の副シール部材３２が配置されている。第１の副シール部材３２は、第２の隔壁３１の第２面部３１ｂと第４壁１４の端面１４ａとの間に挟み込まれるとともに第２の隔壁３１の第３面部３１ｃと突出部分の傾斜面との間に挟み込まれて、これらの間を水が侵入しない程度に封止する防水機能を有している。また、第５壁１５には、台形状の突出部分の端面１５ａと傾斜面とに亘って延びる第２の副シール部材３３が配置されている。第２の副シール部材３３は、第２の隔壁３１の第２面部３１ｂと第５壁１５の端面１５ａとの間に挟み込まれるとともに第２の隔壁３１の第３面部３１ｃと突出部分の傾斜面との間に挟み込まれて、これらの間を水が侵入しない程度に封止する防水機能を有している。さらに、第３壁１３の第１壁１１とは反対側を向く端面には第３の副シール部材３４が配置されている。図８に示すように、第３の副シール部材３４は、第２の隔壁３１の第３面部３１ｃと第３壁１３の第１壁１１とは反対側を向く端面との間に挟み込まれて、これらの間を水が侵入しない程度に封止する防水機能を有している。このように、第２の隔壁３１とケース本体１０との間は、第１の副シール部材３２、第２の副シール部材３３及び第３の副シール部材３４によって封止されている。したがって、第２の隔壁３１とケース本体１０との間からケース本体１０の内部（収容空間１０ａ）への雨水等の水の侵入が防止される。
【００６３】
図８に示すように、第２の隔壁３１の第２面部３１ｂとカバー体２０の平板状カバー部２１との間には隔壁用シール部材３５が設けられている。図６に示すように、隔壁用シール部材３５は、第２の隔壁３１の第２面部３１ｂの長手方向に沿って延びる棒状に形成されている。隔壁用シール部材３５の長手方向の一端は第１のシール部材５の一端に突き当てられた状態で連なり、隔壁用シール部材３５の長手方向の他端は第２のシール部材６の一端に突き当てられた状態で連なっている。隔壁用シール部材３５は、の第２面部３１ｂとカバー体２０の平板状カバー部２１との間に挟み込まれて、これらの間を水が侵入しない程度に封止する防水機能を有している。
【００６４】
このように、ケース本体１０の開口１０ｂと開口１０ｂを覆うカバー体２０の平板状カバー部２１との間には、開口１０ｂを囲うように第１のシール部材５、第２のシール部材６及び２つの隔壁用シール部材３５が配置されている。したがって、ケース本体１０の開口からの雨水等の水の浸入をより低減することができる。
【００６５】
図８に示すように、カバー体２０の第１の湾曲カバー部２４の内側には、連通部６０が設けられている。同様に、第２の湾曲カバー部２５の内側にも、連通部６０が設けられている。第１の湾曲カバー部２４の内側に設けられる連通部６０と第２の湾曲カバー部２５の内側に設けられる連通部６０は、左右対称である以外は基本的に同一の構成であるので、以下では第２の湾曲カバー部２５の内側に設けられる連通部６０に基づいて説明をする。
【００６６】
連通部６０は、第２の湾曲カバー部２５の内側において、平板状カバー部２１の第２の辺２１ｂに沿う方向に延びる空間として構成されている。図９に示すように、連通部６０の第４壁１４の側となる一端は、第２の湾曲カバー部２５の内周面とケース本体１０の第４壁１４との間の隙間６１において電気機器用ケース２の外部に連通している。また、図１０に示すように、連通部６０の第５壁１５の側となる他端は、第２の湾曲カバー部２５の内周面とケース本体１０の第５壁１５との間の隙間６２において電気機器用ケース２の外部に連通している。このように、連通部６０は、電気機器用ケース２を、第２の湾曲カバー部２５の部分において、第４壁１４の側から第５壁１５の側に向けて貫通する空間として構成されている。
【００６７】
図９に示すように、本実施の形態では、第４壁１４の端面１４ａと第３壁１３との間には外周面が円弧状に湾曲した鍔部１４ｄが一体に設けられ、鍔部１４ｄの外周面と第２の湾曲カバー部２５の内周面との間に隙間６１が設けられている。鍔部１４ｄの円弧状の外周面の半径は第２の湾曲カバー部２５の半径よりも小さくなっている。これにより、隙間６１は、端面１４ａの側から徐々に鍔部１４ｄの外周面と第２の湾曲カバー部２５の内周面との間隔が拡がる形態となっている。
【００６８】
図１０に示すように、本実施の形態では、第５壁１５の端面１５ａと第３壁１３との間には外周面が円弧状に湾曲した鍔部１５ｃが一体に設けられ、鍔部１５ｃの外周面と第２の湾曲カバー部２５の内周面との間に隙間６２が設けられている。鍔部１５ｃの円弧状の外周面の半径は第２の湾曲カバー部２５の半径よりも小さくなっている。これにより、隙間６２は、端面１５ａの側から徐々に鍔部１５ｃの外周面と第２の湾曲カバー部２５の内周面との間隔が拡がる形態となっている。
【００６９】
連通部６０は、電力制御装置１が、ケース本体１０の第４壁１４の面１４ｂを上方に向けた姿勢で設置されたときに、上下方向に延びる排水路として機能することができる。
【００７０】
上記構成を有する本実施の形態の電力制御装置１は、図１に示すように、ケース本体１０の第４壁１４の面１４ｂを上方に向けた姿勢で屋外に設置される。このとき、電力制御装置１は、ケース本体１０の第１壁１１が住宅の外壁等に向けられた姿勢で配置される。電気機器３から住宅の内部の電力系統及び太陽電池に向けて延びる配線は、ケース本体１０の下側を向く第５壁１５及び下カバー５０に設けられた孔から電気機器用ケース２の外側に引き出される。
【００７１】
電力制御装置１が、第４壁１４の面１４ｂを上方に向けた姿勢で屋外に設置されると、雨水等の水が面１４ｂの上に溜まる虞がある。
【００７２】
しかし、本実施の形態の電力制御装置１では、電気機器用ケース２は、ケース本体１０の第４壁１４の端面１４ａとカバー体２０の平板状カバー部２１との間に第１のシール部材５を備えているので、ケース本体１０の第４壁１４の端面１４ａとカバー体２０の平板状カバー部２１との間からケース本体１０の内部である収容空間１０ａに雨水等の水が侵入することを防止することができる。特に、電力制御装置１を、ケース本体１０の第４壁１４の面１４ｂを上方に向けた姿勢で配置した場合には、面１４ｂの上に雨水等の水が溜まることがあるが、このような場合であっても、面１４ｂの上に溜まった雨水等の水がケース本体１０の第４壁１４の端面１４ａとカバー体２０の平板状カバー部２１との間からケース本体１０の内部（収容空間１０ａ）に侵入することを防止することができる。
【００７３】
一方、端面１４ａと平板状カバー部２１との間に第１のシール部材５を設けても、端面１４ａと平板状カバー部２１との間に水が溜まったままの状態となる虞がある。
【００７４】
これに対し、本実施の形態の電気機器用ケース２では、平板状カバー部２１に連なる第１の湾曲カバー部２４及び第２の湾曲カバー部２５の内側に、平板状カバー部２１の辺２１ａ、２１ｂに沿う方向に延びるとともに第１の湾曲カバー部２４及び第２の湾曲カバー部２５とケース本体１０との間において外部に連通する連通部６０を設けるようにしている。これにより、端面１４ａと平板状カバー部２１との間に溜まった水を、第１の湾曲カバー部２４及び第２の湾曲カバー部２５とケース本体１０の第４壁１４の鍔部１４ｄとの間の隙間６１から連通部６０に取り込み、取り込んだ水を排水路として機能する連通部６０に沿って下方に流すことができる。また、連通部６０に沿って下方に流した水を、第１の湾曲カバー部２４及び第２の湾曲カバー部２５とケース本体１０の第５壁１５の鍔部１５ｃとの間の隙間６２から外部に排出することができる。したがって、端面１４ａと平板状カバー部２１との間に溜まった水が毛細管現象などによりケース本体１０の内部に侵入することを防止して、電気機器用ケース２の防水性を高めることができる。
【００７５】
また、本実施の形態では、第４壁１４に円弧状の外周面を有する鍔部１４ｄを設けることで、第１の湾曲カバー部２４及び第２の湾曲カバー部２５と第４壁１４との間の隙間６１を第１の湾曲カバー部２４及び第２の湾曲カバー部２５の内周面に沿った細長いスリット状としている。これにより、隙間６１から連通部６０に取り込んだ水が、第１の湾曲カバー部２４及び第２の湾曲カバー部２５の内周面に沿って流れるようにして、電気機器用ケース２の防水性をより高めることができる。
【００７６】
ここで、端面１４ａと平板状カバー部２１との間を第１のシール部材５で封止するのに加えて、第１の湾曲カバー部２４及び第２の湾曲カバー部２５とケース本体１０の第４壁１４の鍔部１４ｄとの間に防水シールを挟み込むことで、これらの間を封止する構成とすることが考えられる。しかし、この場合、ケース本体１０へカバー体２０を嵌め込む際に、防水シールの各部位は、平板状カバー部２１から端面１４ａへ向かう方向へ圧縮され、それぞれ第１の湾曲カバー部２４及び第２の湾曲カバー部２５の内周面に垂直な方向へ圧縮されない。その結果、防水シールの各部位における圧縮率に偏りが生じ、防水シールの圧縮が不十分な部分に皺などが生じ、防水性が不十分になる虞がある。
【００７７】
これに対し、本実施の形態の電気機器用ケース２では、第１の湾曲カバー部２４及び第２の湾曲カバー部２５とケース本体１０の第４壁１４の鍔部１４ｄとの間には防水シールを設けず、端面１４ａと平板状カバー部２１との間に溜まった水を、連通部６０を通して積極的に外部に排出するようにしたので、電気機器用ケース２の防水性を高めることができる。
【００７８】
したがって、上記構成により、電気機器用ケース２及び電力制御装置１に防水という機能性を確保しつつ、カバー体２０に第１の湾曲カバー部２４及び第２の湾曲カバー部２５を設けることで電気機器用ケース２及び電力制御装置１のデザイン性（意匠性）を高めることができる。
【００７９】
一方で、本実施の形態の電気機器用ケース２では、ケース本体１０の端面１４ａ、１５ａとカバー体２０の平板状カバー部２１との間に第１のシール部材５及び第２のシール部材６を設けるとともに、第１の隔壁３０及び第２の隔壁３１と平板状カバー部２１との間にも隔壁用シール部材３５を設けるようにしている。これにより、第１のシール部材５、第２のシール部材６及び隔壁用シール部材３５の全体を第１壁１１に垂直な方向に圧縮させることができる。したがって、第１のシール部材５、第２のシール部材６及び隔壁用シール部材３５の全体を一定の圧縮率で圧縮させて、ケース本体１０の開口１０ｂをカバー体２０の平板状カバー部２１によって防水することができる。
【００８０】
また、本実施の形態の電気機器用ケース２では、第１の隔壁３０及び第２の隔壁３１とケース本体１０の間に第１の副シール部材３２、第２の副シール部材３３及び第３の副シール部材３４を設けるようにしている。これらの第１の副シール部材３２、第２の副シール部材３３及び第３の副シール部材３４は、何れも、第２の隔壁の第３面部３１ｃと、それに平行なケース本体１０の面との間に挟まれて圧縮される。第１の隔壁３０の側においても同様である。換言すると、第１の副シール部材３２、第２の副シール部材３３及び第３の副シール部材３４は、それぞれその全体が第１壁１１に垂直な方向に対して傾斜する１方向に圧縮される。したがって、第１の副シール部材３２、第２の副シール部材３３及び第３の副シール部材３４の全体が、それぞれ一定の圧縮率で圧縮されるようにして、第１の隔壁３０及び第２の隔壁３１とケース本体１０の間をより防水することができる。よって、第１の隔壁３０及び第２の隔壁３１とケース本体１０の間からの水の浸入をより低減できる。
【００８１】
また、本実施の形態では、ケース本体１０に第１の隔壁３０及び第２の隔壁３１を設けるようにしたので、連通部６０を、第１の隔壁３０及び第２の隔壁３１によりケース本体１０の内部（収容空間１０ａ）に対して隔離することができる。これにより、連通部６０を流れる雨水等の水がケース本体１０の内部に浸入しにくくすることによって、電気機器用ケース２及び電力制御装置１の防水性をより高めることができる。
【００８２】
さらに、本実施の形態では、上記の通り、ケース本体１０の第４壁１４に水返し部１６を設けるようにしている。第４壁１４の面１４ｂを上方に向けるとともに第１壁１１の延在方向が鉛直方向に平行となる姿勢で電力制御装置１を設置すると、水返し部１６はケース本体１０の上面となる面１４ｂから上方に突出した状態となる。したがって、面１４ｂの上に溜まった雨水等の水は、水返し部１６により遮られて、端面１４ａの側に向けて流れることが低減される。
【００８３】
このように、本実施の形態では、第４壁１４に、端面１４ａに沿うとともに第５壁１５から離れる方向に突出する水返し部１６を設けるようにしたので、第４壁１４の面１４ｂを上方に向けるとともに第１壁１１の延在方向が鉛直方向に平行となる姿勢で電力制御装置１を設置したときに、面１４ｂの上に溜まった雨水等の水が端面１４ａの側に向けて流れることを低減することができる。これにより、面１４ｂの上に溜まった雨水等の水がケース本体１０の第４壁１４の端面１４ａとカバー体２０の平板状カバー部２１との間に達することを低減して、電気機器用ケース２及び電力制御装置１の防水性をより高めることができる。
【００８４】
さらに、本実施の形態では、上記の通り、第４壁１４のケース本体１０の外側を向く面１４ｂを、カバー体２０の平板状カバー部２１の側（第４壁１４の端面１４ａの側）から第１壁１１の側に向けて徐々に第５壁１５に接近するように傾斜させた構成としている。この構成により、第４壁１４の面１４ｂを上方に向けるとともに第１壁１１の延在方向が鉛直方向に平行となる姿勢で電力制御装置１を設置したときに、ケース本体１０の上面となる面１４ｂに溜まった雨水等の水を当該傾斜により第４壁１４の端面１４ａから離れる方向に流すとともに、当該水を端面１４ａに達する程度に溜まる前に貫通孔１２ｂ、１３ｂから外部に排出させることができる。貫通孔１２ｂ、１３ｂから排出された水は、ケース本体１０の第２壁１２とカバー体２０の第１側面カバー部２２との間またはケース本体１０の第３壁１３とカバー体２０の第２側面カバー部２３との間を通って下方に流され、ケース本体１０ないしカバー体２０の下端から外部に排出される。これにより、面１４ｂに溜まった水が端面１４ａに達することをさらに低減して、電気機器用ケース２及び電力制御装置１の防水性をより高めることができる。
【００８５】
上カバー４０は合成樹脂製であり、図１に示すように、第４壁１４のケース本体１０の外側を向く端面１４ａを上方から覆うようにケース本体１０に装着されている。上カバー４０には、ヒートシンク１７を通して放熱された熱を外部に排出する複数のスリット状の排出孔４１が設けられている。上カバー４０が装着された構成とすることで、電気機器３からの熱により加熱されたケース本体１０のヒートシンク１７ないし面１４ｂが直接手で触れられることを防止することができる。
【００８６】
下カバー５０は合成樹脂製であり、図６に示すように、第５壁１５の下側を覆うようにケース本体１０に装着されている。下カバー５０は、連通部６０の下側の隙間６２から排出された水を所定位置に設けた排出孔から外部に排出することができる。下カバー５０が装着された構成とすることで、電気機器３からの熱により加熱されたケース本体１０の第５面１５が直接手で触れられることを防止することができる。
【００８７】
本開示は前記実施の形態に限定されるものではなく、その要旨を逸脱しない範囲で種々変更可能である。
【００８８】
例えば、前記実施の形態では、カバー体２０は、第１の湾曲カバー部２４及び第２の湾曲カバー部２５を備えた構成とされているが、湾曲カバー部を１つのみ備えた構成としてもよい。この場合、当該湾曲カバー部に対応した一方の隔壁のみをケース本体１０に設けた構成としてもよい。
【００８９】
また、前記実施の形態では、カバー体２０は第１側面カバー部２２及び第２側面カバー部２３を備えた構成とされているが、第１側面カバー部２２及び第２側面カバー部２３を備えない構成としてもよい。
【００９０】
さらに、前記実施の形態では、電気機器用ケース２に第１の隔壁３０及び第２の隔壁３１を設けているが、電気機器用ケース２は第１の隔壁３０及び第２の隔壁３１を備えていない構成とすることもできる。この場合、連通部６０を、ケース本体１０の収容空間１０ａに配置した換気ファンによる換気通路として機能させるようにしてもよい。
【００９１】
さらに、前記実施の形態では、第１の隔壁３０及び第２の隔壁３１を、ケース本体１０及びカバー体２０とは別体に形成されてケース本体１０に取り付けられた構成としているが、これに限らず、ケース本体１０に一体に設けられた構成とすることもできる。また、第１の隔壁３０及び第２の隔壁３１は、ケース本体１０及びカバー体２０とは別体に形成されてカバー体２０に取り付けられた構成とすることもできる。さらに、第１の隔壁３０及び第２の隔壁３１は、カバー体２０に一体に設けられた構成とすることもできる。
【００９２】
さらに、前記実施の形態では、ケース本体１０に水返し部１６を設けるようにしているが、水返し部１６を設けない構成とすることもできる。
【００９３】
さらに、前記実施の形態では、ケース本体１０の第４壁１４の面１４ｂを、平板状カバー部２１の側から第１壁１１の側に向けて徐々に第５壁１５に接近するように傾斜させるようにしているが、これに限らず、傾斜しない構成とすることもできる。
【００９４】
さらに、前記実施の形態では、ケース本体１０の第４壁１４の端面１４ａとカバー体２０の平板状カバー部２１との間に第１のシール部材５を設けるとともに、ケース本体１０の第５壁１５の端面１５ａとカバー体２０の平板状カバー部２１との間に第２のシール部材６を設けるようにしているが、電力制御装置１を、ケース本体１０の第４壁１４が上方を向く姿勢で配置する場合には、ケース本体１０の第４壁１４の端面１４ａとカバー体２０の平板状カバー部２１との間にのみ第１のシール部材５を設け、ケース本体１０の第５壁１５の端面１５ａとカバー体２０の平板状カバー部２１との間には第２のシール部材６を設けない構成としてもよい。
【００９５】
さらに、前記実施の形態では、電力制御装置１を、第４壁１４の面１４ｂを上方に向けるとともに第１壁１１の延在方向が鉛直方向に平行となる姿勢で設置されるものとしているが、これに限らず、電力制御装置１を設置する際に姿勢は、種々変更可能である。
【符号の説明】
【００９６】
１    電力制御装置
２    電気機器用ケース
３    電気機器
４    ネジ部材
５    第１のシール部材
６    第２のシール部材
７    ネジ部材
１０    ケース本体
１０ａ  収容空間
１０ｂ  開口
１１    第１壁
１１ａ  第１の辺
１１ｂ  第２の辺
１１ｃ  第３の辺
１１ｄ  第４の辺
１１ｅ  区画壁部
１２    第２壁
１２ａ  区画壁部
１２ｂ  貫通孔
１３    第３壁
１３ａ  区画壁部
１３ｂ  貫通孔
１３ｃ  縦リブ
１３ｄ  横リブ
１４    第４壁
１４ａ  端面
１４ｂ  面
１４ｃ  溝状部分
１４ｄ  鍔部
１５    第５壁
１５ａ  端面
１５ｂ  溝状部分
１５ｃ  鍔部
１６    水返し部
１７    ヒートシンク
１７ａ  第１ヒートシンク部
１７ｂ  第２ヒートシンク部
１７ｃ  第３ヒートシンク部
１８    ネジ穴
２０    カバー体
２１    平板状カバー部
２１ａ  第１の辺
２１ｂ  第２の辺
２１ｃ  第３の辺
２１ｄ  第４の辺
２２    第１側面カバー部
２３    第２側面カバー部
２４    第１の湾曲カバー部
２５    第２の湾曲カバー部
２６    取付け孔
３０    第１の隔壁
３０ｂ  第２面部
３１    第２の隔壁
３１ａ  第１面部
３１ｂ  第２面部
３１ｃ  第３面部
３１ｄ  貫通孔
３２    第１の副シール部材
３３    第２の副シール部材
３４    第３の副シール部材
３５    隔壁用シール部材
４０    上カバー
５０    下カバー
６０    連通部
６１    隙間
６２    隙間
α    傾斜角度
【図１】
2020090337.tif 000003
【図２】
2020090337.tif 000004
【図３】
2020090337.tif 000005
【図４】
2020090337.tif 000006
【図５】
2020090337.tif 000007
【図６】
2020090337.tif 000008
【図７】
2020090337.tif 000009
【図８】
2020090337.tif 000010
【図９】
2020090337.tif 000011
【図１０】
2020090337.tif 000012
【国際調査報告】
2020090337.tif 000013
2020090337.tif 000014
2020090337.tif 000015
2020090337.tif 000016